(57)【要約】【課題】  動画に静止画を合成する場合に、アスペクト比の異なる静止画を合成してしまうことを防止する。【解決手段】  システム制御回路３０は、動画に静止画を合成するカード静止画ミックスモードでは、動画のアスペクト比と同じアスペクト比の静止画のみをメモリカード２６から読み出す。複数の静止画がある場合、ユーザは、選択スイッチ３４で所望の静止画を選択する。カメラ信号処理回路２２は、読み出された静止画をフレームメモリ２４に格納し、動画に合成する。【選択図】  図１
2006135579.tif 000002
【特許請求の範囲】
【請求項１】
静止画を記憶する静止画記憶手段と、
異なるアスペクト比で動画を撮影可能な撮像手段と、
当該撮像手段で撮影される動画のアスペクト比と同じアスペクト比の静止画を当該静止画記憶手段から読み出す静止画読出し手段と、
当該静止画読出し手段で読み出された静止画を当該撮像手段により撮影される動画に合成する合成手段
とを具備することを特徴とする撮像装置。
【請求項２】
更に、当該撮像手段で撮影される動画のアスペクト比と同じアスペクト比の静止画が当該静止画記憶手段に複数、格納されている場合に、その静止画の１つを指定する指定手段を具備することを特徴とする請求項１に記載の撮像装置。
【発明の詳細な説明】
【技術分野】
【０００１】
本発明は、撮像装置に関し、より具体的には、動画中に静止画を合成して記録可能な撮像装置に関する。
【背景技術】
【０００２】
現在のデジタルビデオカメラシステムには、撮影者が撮影した静止画をメモリやカードに予め記憶しておき、動画撮影時にクロマキー又はルミキーを利用して静止画の一部を表示させて動画像に合成する機能を有するものがある（例えば、特許文献１（特に、第２実施形態）参照）。
【０００３】
テレビ放送の高精細化などに伴い、家庭用テレビの高画質化が進んでいる今、民生用デジタルビデオカメラにおいても、高画質化の波が押し寄せている。いままで放送業界でしか使用されていなかった高画質（ＨＤ）フォーマットが民生用デジタルビデオカメラにも徐々に搭載されつつある。また、高画質なＨＤフォーマットと従来の標準画質（ＳＤ）フォーマットの両方式に対応可能なデジタルビデオカメラも市場に出現している。
【０００４】
更には、ＨＤフォーマットの動画とＳＤフォーマットの動画を異なるアスペクト比で記録可能なデジタルビデオカメラも実現されている。ＨＤフォーマットのアスペクト比は１６：９であるのに対し、ＳＤフォーマットのアスペクト比は通常、４：３である。
【０００５】
結局のところ、従来のビデオカメラには、動画記録と静止画記録でフォーマットとアスペクト比をそれぞれ選択可能なものがある。
【特許文献１】特開２００３−１１６０９３号公報
【発明の開示】
【発明が解決しようとする課題】
【０００６】
動画記録と静止画記録のそれぞれでアスペクト比を選択可能なビデオカメラにおいて、動画中に静止画を合成する場合、動画とはアスペクト比が異なる静止画を選択してしまうことがある。事前に動画のアスペクト比と同じアスペクト比の静止画を再生画面上で確認し、その中から動画に合成する静止画を選択しなければいけない。同じ記録媒体中にアスペクト比の異なる多数の静止画が記録されている場合、このような作業は非常に面倒である。
【０００７】
本発明は、動画に合成する静止画を選択するユーザの手間を大幅に軽減する撮像装置を提示することを目的とする。
【課題を解決するための手段】
【０００８】
本発明に係る撮像装置は、静止画を記憶する静止画記憶手段と、異なるアスペクト比で動画を撮影可能な撮像手段と、当該撮像手段で撮影される動画のアスペクト比と同じアスペクト比の静止画を当該静止画記憶手段から読み出す静止画読出し手段と、当該静止画読出し手段で読み出された静止画を当該撮像手段により撮影される動画に合成する合成手段とを具備することを特徴とする。
【発明の効果】
【０００９】
本発明によれば、アスペクト比の異なる静止画を動画に合成してしまうことを防止できる。また、合成対象としてアスペクト比の異なる静止画を選択してしまうことを防止できる。
【発明を実施するための最良の形態】
【００１０】
以下、図面を参照して、本発明の実施例を詳細に説明する。
【００１１】
図１は、本発明の一実施例の概略構成ブロック図を示す。１０はピント合わせるためのフォーカスレンズである。フォーカスレンズ１０を通過した光は、ＣＣＤ撮像素子１２の撮像面上に結像する。ＣＣＤ撮像素子１２は、撮像面の光学像を電気信号に変換する。ドライバ１４は、ＴＧ１８の発生する基準クロックに従い、ＣＣＤ撮像素子１２を駆動して、画像信号を読み出す。ＣＤＳ・ＡＧＣ回路１６は、ＣＣＤ撮像素子１２からの画像信号をサンプル・ホールドし、システム制御回路３０の制御下で最適な利得に増幅する。Ａ／Ｄ変換器２０は、ＣＤＳ・ＡＧＣ回路１６のアナログ信号を基準クロックに同期したデジタル信号に変換する。
【００１２】
カメラ信号処理回路２２は、フレームメモリ２４を使って、Ａ／Ｄ変換器２０からのデジタル画像信号に種々の信号処理を施す。フレームメモリ２４は、カメラ信号処理回路２２で生成された画像データを一時的に保持したり、メモリカード２６から読み出した画像データを一時的に保持するために使用される。
【００１３】
システム制御回路３０は、カメラ全体を制御する。カードミックス機能オン／オフスイッチ３２は、動画像とメモリカード２６から読み出された静止画とを合成するか否かをシステム制御回路３０に指示するスイッチである。カードミックス画選択スイッチ３４は、動画像と合成する静止画像の選択と決定をシステム制御回路３０に指示するスイッチである。ＨＤ／ＳＤ切替スイッチ３６は、ＨＤ記録モードとＳＤ記録モードの切替えをシステム制御回路３０に指示するスイッチである。
【００１４】
表示装置２８は、カメラ信号処理装置２２からの画像信号を画像表示する。表示装置２８は、撮影時にはファインダとして機能し、再生時には、再生画像を表示する手段として機能する。
【００１５】
図２は、カメラ信号処理回路２２の概略構成ブロック図を示す。メモリカード２６に格納されている静止画を読み出して動画像と合成する場合、システム制御回路３０を介したユーザの指示に従い、カメラ信号処理回路２２は、メモリカード２６にＪＰＥＧ圧縮で記録されている静止画データの内のユーザの指示する静止画の圧縮画像データを読み出し、伸長回路４０により伸長して、フレームメモリ２４に格納する。
【００１６】
動画撮影時には、フィーチャー回路４２が、フレームメモリ２４に格納された静止画データを読み出し、クロマキー又はルミキーの特殊効果処理を施して、リサイズ回路４４に印加する。リサイズ回路４４は、フィーチャー回路４２からの静止画像を動画フォーマットにあったサイズ又はアスペクト比にリサイズする。他方、信号処理回路４６は、Ａ／Ｄ変換器２０からの動画像データにホワイトバランス補正及びγ補正等の周知の処理を施す。合成回路４８は、リサイズ回路４４からのリサイズされた静止画像を、信号処理回路４６からの動画像に合成する。合成回路４８により合成された画像が、表示装置２８に印加される。ユーザは、表示装置２８の画面上で、合成結果を視覚的に確認できる。
【００１７】
本実施例の特徴的な動作を説明する。図３は、システム制御回路３０の動作フローチャートを示す。電源投入されると、システム制御回路３０は、図３に示すフローを一定周期で繰り返し実行する。
【００１８】
先ず、動画記録モードか静止画記録モードかを判定する（Ｓ１）。静止画記録モードの場合には、静止画撮影の準備状態になり（Ｓ８）、ユーザの操作に応じて、図示しない処理手順で静止画撮影、記録が実行される。動画記録モードの場合（Ｓ１）、カードミックス機能オン／オフスイッチ３２によって、動画像とメモリカード２６から読み出した静止画の合成が指示されており、動画像とメモリカード２６から読み出した静止画のミックス画像をプレビューするミックス画プレビューモードとなっているか否かを判定する（Ｓ２）。ミックス画プレビューモードでない場合（Ｓ２）、今回の処理を終了する。
【００１９】
ミックス画プレビューモードの場合（Ｓ２）、ＨＤ／ＳＤ切替スイッチ３６によって指示されているモードが、ＨＤ記録モードかＳＤ記録モードかを判定する（Ｓ３）。ＨＤ記録モードの場合（Ｓ３）、カードミックス画選択スイッチ３４が操作されたか否かを判別する（Ｓ４）。カードミックス画選択スイッチ３４が操作されていない場合（Ｓ４）、システム制御回路３０は、メモリーカード２６内に格納されているアスペクト比１６：９の静止画像の内の先頭の静止画像を再生し、動画像と合成する処理をカメラ信号処理回路２２に指示する（Ｓ９）。これにより、静止画像を混合した動画像が表示装置２８に表示されるとともに、メモリカード２６に記録される。
【００２０】
カードミックス画選択スイッチ３４が操作、すなわち送り又は戻り操作されている場合（Ｓ４）、送りか戻しかを判別する（Ｓ５）。送り操作の場合（Ｓ５）、静止画ＥＸＩＦ情報を解析する（Ｓ６）。その後、アスペクト比１６：９の静止画像の中で先頭から一枚送った静止画像を再生すると共に、その静止画像と動画像とを合成する（Ｓ７）。これにより、合成画像が表示装置２８に表示されるとともに、メモリカード２６に記録され、今回の処理を終了する。
【００２１】
戻し操作の場合（Ｓ５）、静止画ＥＸＩＦ情報を解析し（Ｓ１０）、アスペクト比１６：９の静止画像の中で先頭から一枚戻した静止画像を再生すると共に、その静止画像と動画像を合成する（Ｓ１１）。これにより、合成画像が表示装置２８に表示されるとともに、メモリカード２６に記録され、今回の処理を終了する。
【００２２】
以上の動作により、ＨＤ動画記録モードでカード静止画ミックスを行うと、ＨＤ動画像のアスペクト比に合致したアスペクト比１６：９の静止画像のみが再生され、動画像の全画面に静止画像がミックスされる。
【００２３】
ＳＤ記録モードの場合（Ｓ３）、カードミックス画選択スイッチ３４が操作されたか否かを判別する（Ｓ１２）。カードミックス画選択スイッチ３４が操作されていない場合（Ｓ１２）、メモリーカード２６内に格納されているアスペクト比４：３の静止画像の内の先頭画像を再生し、動画像と合成する（Ｓ１６）。これにより、合成画像が表示装置２８に表示されるとともに、メモリカード２６に記録され、今回の処理を終了する。
【００２４】
カードミックス画選択スイッチ３４が操作、すなわち送り又は戻り操作されている場合（Ｓ１２）、送りか戻しかを判別する（Ｓ１３）。送り操作の場合（Ｓ１３）、静止画ＥＸＩＦ情報を解析する（Ｓ１４）。その後、アスペクト比４：３の静止画像の中で先頭から一枚送った静止画像を再生するとともに、その静止画像と動画像を合成する（Ｓ１５）。これにより、合成画像が表示装置２８に表示されるとともに、メモリカード２６に記録され、今回の処理を終了する。
【００２５】
戻し操作の場合（Ｓ１３）、静止画ＥＸＩＦ情報を解析し（Ｓ１７）、アスペクト比４：３の静止画像の中で先頭から一枚戻した静止画像を再生するとともに、その静止画像と動画像を合成する（Ｓ１８）。これにより、合成画像が表示装置２８に表示されるとともに、メモリカード２６に記録され、今回の処理を終了する。
【００２６】
このように、本実施例では、ＳＤ動画記録モードでカード静止画ミックスを行うと、ＳＤ動画像のアスペクト比に合致したアスペクト比４：３の静止画像のみが再生されることになり、動画像の全画面領域で静止画像がミックスされる。
【００２７】
なお、上述した構成では、カードミックス画選択スイッチ３４で送りまたは戻し操作することにより、動画像と合成すべき静止画像を一枚送りで選択する例を説明したが、表示装置２８にインデックス画面を表示させて、該当する静止画像の縮小画像（サムネイル）を一覧表示した上で、いずれかを選択するよう構成することもできる。その際は、ＨＤ／ＳＤ切替スイッチ３６によって指示されているモードが、ＨＤ記録モードのときはアスペクト比が１６：９の静止画像のみをメモリカード２６から読み出して一覧表示させ、ＳＤ記録モードのときは同４：３の静止画像のみをメモリカード２６から読み出して一覧表示させて、カードミックス画選択スイッチ３４により合成すべき一枚を直接選択することになる。このように構成した場合であっても、同様の効果を得ることができる。
【図面の簡単な説明】
【００２８】
【図１】本発明の一実施例の概略構成ブロック図である。
【図２】カメラ信号処理回路２２の概略構成ブロック図である。
【図３】システム制御回路３０の動作フローチャートである。
【符号の説明】
【００２９】
１０：フォーカスレンズ
１２：ＣＣＤ撮像素子
１４：ドライバ
１６：ＣＤＳ・ＡＧＣ回路
１８：ＴＧ
２０：Ａ／Ｄ変換器
２２：カメラ信号処理回路
２４：フレームメモリ
２６：メモリカード
２８：表示装置
３０：システム制御回路
３２：カードミックス機能オン／オフスイッチ
３４：カードミックス画選択スイッチ
３６：ＨＤ／ＳＤ切替スイッチ
４０：伸長回路
４２：フィーチャー回路
４４：リサイズ回路
４６：信号処理回路
４８：合成回路
【図１】
2006135579.tif 000003
【図２】
2006135579.tif 000004
【図３】
2006135579.tif 000005